(57)【要約】【課題】貸出設備の利用のめに予約したい場合に貸出設備の設置場所に行かなくても、予約端末によりインターネットを利用して予約サーバと交信して貸出設備の予約状況を見ながら間違いなく予約がとれることを目的とする。【解決手段】顧客が貸出設備利用のため、予約端末１に顧客の本人確認情報を入力し、予約サーバ６が入力された本人確認情報に基づいて本人確認照会を行い、本人確認照会後に予約状況を予約端末１に送信し、予約端末１に予約情報を入力すし、予約サーバ６が入力された予約情報と予約状況を照合し、入力した予約状況に空きがあれば使用費用を算出し、予約申込情報と使用費用を予約端末１に送信し、予約端末１に予約確認情報を入力し、予約サーバ６が入力された予約確認情報を予約状況に追加して予約登録を行うようにしている。【選択図】　　　　図１
2004030512.tif 000002
【特許請求の範囲】
【請求項１】
顧客が貸出設備の利用予約申込みを行う予約端末または受付端末と、基本顧客データ、予約状況データ及び基本精算データが登録されているデータベース記憶部を有し、利用予約申込みに基づいて基本顧客データ及び予約状況データと照合して予約登録を行う予約サーバと、予約端末と予約サーバと接続されている受付端末を結ぶ通信ネットワークとを備えた貸出設備利用予約システムにおいて、
予約端末に顧客の本人確認情報を入力すると、予約サーバが入力された本人確認情報に基づいて本人確認照会を行い、本人確認照会後に予約状況を予約端末に送信し、予約端末に表示された予約状況の空きを確認して予約情報を入力すると、予約サーバが入力された予約情報と予約状況を照合し、予約状況に空きがあれば使用費用を算出し、予約申込情報と使用費用を予約端末に送信し、予約端末に表示された予約申込情報と使用費用を確認して予約確認情報を入力すると、予約サーバが入力された予約確認情報を予約状況に追加して予約登録を行うようにしたことを特徴とする貸出設備利用予約システム。
【請求項２】
前記予約サーバは予約確認情報を予約状況に追加して予約登録を行った後に、予約情報を予約端末に送信し、予約端末で利用証明書をプリントアウトするようにしたことを特徴とする請求項１記載の貸出設備利用予約システム。
【請求項３】
前記予約端末に顧客の本人確認情報を入力すると、予約サーバが入力された本人確認情報に基づいて本人確認照会を行い、本人確認照会後に予約端末に契約解除情報を入力すると、予約サーバが入力された契約解除情報に基づいて解約手続処理を行うことを特徴とする請求項１記載の貸出設備利用予約システム。
【請求項４】
前記予約端末が行う利用予約申込みの対象となる貸出設備はＥＴＣシステムが設置されたテストコースであることを特徴とする請求項１〜３のいずれかに記載の貸出設備利用予約システム。
【発明の詳細な説明】
【０００１】
【発明の属する技術分野】
本発明は例えばＥＴＣ（エレクトリック・トール・コレクション）システムが設置されたテストコースである貸出設備を利用する場合の貸出設備利用予約システムに関するものである。
【０００２】
【従来の技術】
平成１３年１１月３０日から高速道路の入口において、料金自動収受システムであるＥＴＣシステムが全国展開され、導入されている。
そこで、ＥＴＣシステムを利用するため、ＥＴＣ用車載器を搭載した自動車も現在増えてきている。
しかし、ＥＴＣシステムの利用の際に、ドライバーがＥＴＣ用車載器の使用に慣れていないためにＥＴＣゲートをスムーズに通過できないというトラブルも生じている。
【０００３】
図１３は従来の自動車教習所のＥＴＣ教習のプロセスを示すブロック図、図１４は従来のカーアクセサリディラーのＥＴＣ用車載器の設置プロセスを示すブロック図である。
自動車教習所では、ＥＴＣ教習を含む自動車教習を行う場合、図１３に示すように、まず運転教習生を募集し（プロセスＰ１）、次に自動車教習所で実技と、法令及び構造の講義の教習を行い（プロセスＰ２）、仮免の試験をし（ステップＳ３）、仮免の試験に合格したら路上教習を行う（プロセスＰ３）。
この路上教習では、一般道路の他に高速道路の教習があり、高速道路ではＥＴＣ用車載器を搭載した教習用自動車で高速道路を走行してＥＴＣ教習を行っている。
【０００４】
【発明が解決しようとする課題】
上記のような従来の自動車教習所では、高速道路でＥＴＣ用車載器と搭載した教習用自動車で高速道路を走行してＥＴＣ教習を行っているが、高速道路の料金所の入口を通過すると出口を出ることになり、複数の教習生を平等に指導することは大変な時間と費用（高速料金×人数）が掛かることになるという問題があった。
また、高速道路における実際のＥＴＣ教習で、ＥＴＣゲートをスムーズに通過できないこととなる種々のドライバーが行ってはいけない動作、例えばカードを入れるタイミングを間違えたり、バックする等を指導することは不可能であるという問題もあった。
また、カーアクセサリディラーでは、図１４に示すように販売広告を行い（プロセスＰ１１）、購入予定者がＥＴＣ用車載器を購入すると（プロセスＰ１２）、カーアクセサリディラーはＥＴＣ用車載器を購入予定者の車に取付け、使用できるようにセットアップを行うだけで（プロセスＰ１３）、実際の利用についてはＥＴＣシステムを利用してのサービスが出来きていない状況である。
【０００５】
【課題を解決するための手段】
本発明に係る貸出設備利用予約システムは、顧客が貸出設備の利用予約申込みを行う予約端末または受付端末と、基本顧客データ、予約状況データ及び基本精算データが登録されているデータベース記憶部を有し、利用予約申込みに基づいて基本顧客データ及び予約状況データと照合して予約登録を行う予約サーバと、予約端末と予約サーバと接続されている受付端末を結ぶ通信ネットワークとを備えた貸出設備利用予約システムにおいて、予約端末に顧客の本人確認情報を入力すると、予約サーバが入力された本人確認情報に基づいて本人確認照会を行い、本人確認照会後に予約状況を予約端末に送信し、予約端末に表示された予約状況の空きを確認して予約情報を入力すると、予約サーバが入力された予約情報と予約状況を照合し、入力した予約状況に空きがあれば使用費用を算出し、予約申込情報と使用費用を予約端末に送信し、予約端末に表示された予約申込情報と使用費用を確認して予約確認情報を入力すると、予約サーバが入力された予約確認情報を予約状況に追加して予約登録を行うように構成したものである。
【０００６】
本発明においては、貸出設備を利用するために予約をしたい場合に貸出設備の設置場所に行かなくても、予約端末によりインターネットを利用して予約サーバと交信して貸出設備の予約状況を見ながら間違いなく簡単に予約をとることができる。
また、運転免許取得の指導を行う自動車教習所や、ＥＴＣ車載器の販売を行うカーアクセサリディラーに対して、これら各社の顧客がいずれ直面するであろうＥＴＣシステムの利用を、顧客に予め体験させる機会を提供することができるので、これら各社の事業展開に貢献することが期待される。その一方で、テストコース設備を保有する会社にとっては、用途が限定されがちなテストコースの利用客を効率的に集めることができ、設備使用料による収入増加が期待される。
【０００７】
【発明の実施の形態】
図１は本発明の実施の形態の貸出設備利用予約システムの構成を示すブロック図、図２はデータ記憶部のデータベースの内容を示す説明図、図３は自動車教習所のＥＴＣ教習のテストコース予約を含むプロセスを示すブロック図、図４はカーアクセサリディラーのＥＴＣ用車載器の設置のテストコース予約を含むプロセスを示すブロック図、図５は同貸出設備利用予約システムのテストコースの予約から費用の精算までの手順を示すメインフローチャート、図６は予約端末による予約動作を示すフローチャート、図７は予約サーバによる予約受付動作を示すフローチャート、図８はテストコース利用の費用精算のフローチャート、図９は予約端末の予約初期画面を示す説明図、図１０は予約端末の予約状況画面を示す説明図、図１１は予約端末の予約情報入力画面、図１２は予約端末の決済情報表示画面を示す説明図である。
である。
【０００８】
図１において、１は自動車教習所、カーアクセサリディラーに設置されている予約端末で、通信ネットワークであるインターネット２に接続されている。その予約端末１は図示しない制御部、ＣＲＴ、ＬＣＤ等の表示部、キーボード、マウスなどの入力部を備えているものとする。
４はテストコース予約センタ３に設置された受付端末で、ファイアウオール５を介して予約サーバ６に接続されている。その受付端末４は図示しない制御部、ＣＲＴ、ＬＣＤ等の表示部、キーボード、マウスなどの入力部を備えているものとする。なお、受付端末４は、テストコース予約センタ３内に設置されるが、その機能は予約端末と同様である。
６はファイアウオール５を介して受付端末４とインターネット２に接続された予約サーバで、データベース記憶部７を有している。９は自動車教習所、カーアクセサリディラーに設置されているＦＡＸで、電話網１０に接続されている。その電話網１０はファイアウオール５に接続されている。
【０００９】
図２において、７１はデータベース記憶部７のデータベースであり、基本顧客データ部７２と予約状況データ部７３と利用証明書部７４と基本精算データ部７５とで構成されている。
基本顧客データ部７２には顧客ＩＤ、パスワードの他、顧客名、顧客住所、ＴＥＬ等の顧客詳細情報が登録されており、予約状況データ部７３には利用日時、利用人数、コーヒ、ジュースの予約、会議場等の付帯情報が登録されており、基本精算データ部７５には請求額、請求書、入金確認等が登録されている。
【００１０】
次に、本発明の実施の形態の設備貸出予約システムを利用した自動車教習所のＥＴＣ教習のテストコース予約を含むプロセスを図３に基づいて説明する。
自動車教習所でＥＴＣ教習を含む自動車教習を行う場合、図３に示すように、まずＥＴＣ教習を含むカリキュラムに変更し（プロセスＰ２１）、次に教習生を新規募集し（プロセスＰ２２）、次に自動車教習所で通常の実技と、法令及び構造の講義の教習を行い（プロセスＰ２３）、仮免の試験をし（プロセスＰ２４）、複数の仮免合格者について自動車教習所に設置されている予約端末１を使ってインターネット２を介してテストコース予約センタ３の予約サーバ６に対してＥＴＣを設置したテストコース利用の予約を取る（プロセスＰ２５、２６）。
そして、予約が取れたら予約日に教官と共に複数の仮免合格者がテストコースに行きテストコースのＥＴＣ用車載器を搭載した車又は自動車教習所のＥＴＣ用車載器を搭載した車でＥＴＣ教習を受け（プロセスＰ２７）、しかる後に路上教習を行う（プロセスＰ２８）。
このように、ＥＴＣを設置したテストコースを利用することにより、自動車教習所の対象となる教習生の全員を平等にＥＴＣシステム利用方法の指導ができるようになる。
【００１１】
また、本発明の実施の形態の貸出設備利用予約システムを利用したカーアクセサリディラーのＥＴＣ教習を含むＥＴＣ用車載器の設置プロセスを図４に基づいて説明する。
カーアクセサリディラーでＥＴＣ教習を含むＥＴＣ用車載器の設置を行う場合、図３に示すように、まずＥＴＣ教習を含む販売広告を行い（プロセスＰ３１）、顧客のＥＴＣ用車載器購入の複数の購入予定者を確認すると（プロセスＰ３２）、カーアクセサリディラーは複数の予定者について予約端末１を使ってインターネット２を介してテストコース予約センタ３と交信してＥＴＣを設置したテストコース利用の予約を取る（プロセスＰ３３、３４）。
そして、予約が取れたら、カーアクセサリディラーはＥＴＣ用車載器を購入予定者の車に取付け、使用できるようにセットアップを行い（プロセスＰ３５）、その後に予約日に複数の購入予定者がテストコースに行きテストコースのＥＴＣ用車載器を搭載した車又はカーアクセサリディラーのＥＴＣ用車載器を搭載した車もしくはＥＴＣ車載器のセットアップを終えた、購入予定者が自ら保有する車でＥＴＣ教習を受ける（プロセスＰ３６）。
このように、ＥＴＣシステムを設置したテストコースを利用することにより、カーアクセサリディラーで「ＥＴＣ用車載器」を購入された方、又は購入予定者を集めてＥＴＣシステムの利用について指導することができる。
【００１２】
次に、自動車教習所又はカーアクセサリディラーがＥＴＣシステムを設置したテストコースに対して予約を行い、テストコースを利用し、テストコース利用の費用の精算までの手順の概略について図５のメインフローチャートに基づいて説明する。
まず、ＥＴＣシステムを設置したテストコースの予約センタ側の担当者が、例えば自動車教習所やカーアクセサリディラー等の顧客に赴いてＥＴＣ教習のためのテストコースの利用の仕方並びに料金表の提示等のプレゼンテーションを行う（ステップＳ１）。
次に、顧客が予約センタ側の担当者のプレゼンテーションを聞いてテストコースを利用する契約の意思を持てば（ステップＳ２）、テストコース利用の契約の打合せを行い、テストコース利用の契約を締結する（ステップＳ３）。
テストコース利用の契約が締結されたら、テストコースの予約センタ側の担当者が顧客にコース利用のための顧客ＩＤ番号を付与する（ステップＳ４）。
なお、予約サーバが顧客ＩＤを自動的に割り当てて付与するようにしてもよい。
【００１３】
顧客がテストコースを利用する初回の予約時には、パスワードを自分で決定し、予約端末１でそのパスワードを顧客ＩＤと共に入力してテストコース予約センタ３の予約サーバ６にインタネット２を介して送信し（ステップＳ５）、予約サーバ６ではそのデータベース記憶部７の基本顧客データ部７２に顧客ＩＤに対応したパスワードを登録する。
そして、顧客が実際にテストコースを利用するために予約を取りたい場合には、予約端末１で顧客ＩＤとパスワードを入力してテストコース予約センタ３の予約サーバ６にインタネット２を介してアクセスし、予約情報を入力してテストコース利用の予約を実行する（ステップＳ６）。
【００１４】
予約端末１から予約サーバ６に予約情報を送信し、予約サーバ６では予約情報と予約状況とを照合し、空きがあれば予約が取れたこととして予約情報を予約端末１に送信して顧客のテストコース予約センタ３に対するテストコース利用の予約が完了する（ステップＳ７）。
こうしてテストコース利用の予約が取れ、予約日がくれば利用者はテストコースに赴いてＥＴＣ教習のためにテストコースを利用する（ステップＳ８）。
利用者によるテストコースの利用が終われば、テストコース予約センタ３は顧客に対して請求書を発行し、顧客は請求書に記載の請求額を支払い、テストコース予約センタ３は顧客に対して領収書を発行してテストコース利用の費用の精算が終わって終了する（ステップＳ８）。
【００１５】
さらに、自動車教習所又はカーアクセサリディラーがＥＴＣシステムを設置したテストコース予約センタに対して予約端末により予約を取る動作について図６のフローチャートに基づいて詳細に説明する。
なお、この貸出設備利用予約システムはテストコース利用の契約を行い登録した顧客のみが利用可能であり、顧客が登録された者であるかどうかの判断を利用開始時に顧客が予約端末から入力した本人確認情報である顧客ＩＤやパスワードにより行い、登録された顧客であると確認された場合にのみ以下の処理に移る。顧客の予約端末１の画面上にはテストコース予約センタを運営するＡ社のホームページが表示されており、そのホームページ中に「テストコース予約」の項目が表示されている（ステップＳ１１）。
そこで、顧客が実際にテストコースを利用するために予約を取りたい場合、予約端末１の画面上の「テストコース予約」の項目を選択すると、顧客ＩＤ、パスワードの入力を促す予約初期画面として、まず図９に示すような登録されている顧客ＩＤの一覧が表示され、自分の顧客ＩＤを選択すると、次にパスワードの入力を促す画面が表示される（ステップＳ１２）。
【００１６】
そこで、予約端末１の予約初期画面にパスワードが入力されると（ステップＳ１３）、予約端末１はフィアウオール５を介して予約サーバ６に顧客ＩＤ、パスワードを送信する（ステップＳ１４）。
予約サーバ６では送信された顧客ＩＤ、パスワードと登録されている顧客ＩＤ、パスワードが一致するかどうかを見て顧客の正当性を認証（第三者による不正なアクセスを排除）し（ステップＳ１５）、顧客の正当性が認証されれば今までデータ記録部７の予約状況データ部７３に登録されている予約状況をインターネット２を介して予約端末１に送信する。
【００１７】
こうして予約端末１が予約サーバ６からの予約状況を受信すると（ステップＳ１６）、予約端末１はまず予約したい日の入力を促す「予約日の設定」の項目が表示される。そこで、予約日を入力すると、図１０に示すようなその日の予約状況を現す予約状況画面を表示する（ステップＳ１７）。
なお、予約状況画面中に「予約日の設定」の項目はそのまま表示される。また、予約状況画面中に「顧客名」の項目があり、その「顧客名」を選択すると、どの顧客がどの時間帯を予約しているかが表示され、予約状況画面中に「詳細表示」の項目があり、その「詳細表示」を選択すると、自社の予約分のみ、詳細情報が表示される。
【００１８】
顧客はその予約日の予約状況画面を見て自分が希望する時間に空きが有るかどうかを見る（ステップＳ１８）。空きが無ければ、ステップＳ１６に戻り、再び別の予約日を入力して別の日の予約状況を現す予約状況画面を表示させる。
こうして自分が希望する予約日の空きあることを確認したら、予約状況画面中の「確認」を選択すると、次に図１１に示すような予約情報入力画面が表示される（ステップＳ１９）。
【００１９】
この予約情報入力画面中には予約する顧客の「顧客ＩＤ」の他に、「予約日」、「利用時間帯」、「利用人数」及び「付帯情報」の項目が有り、「予約日」の項目を選択すると予約日の入力を促す画面が表示され、「利用時間帯」の項目を選択すると、利用時間帯を促す画面が表示され、「利用人数」の項目を選択すると、利用人数の入力を促す画面が表示され、「付帯情報」の項目を選択すると、例えばコーヒ等の飲み物、会議室の予約などの入力を促す画面が表示される。
これら各項目についてそれぞれ選択して予約日、利用時間帯、利用人数等の予約情報を入力すると（ステップＳ２０）、予約端末１は予約情報をインターネット２、ファィアウオール５を経由させて予約サーバ６へ送信する（ステップＳ２１）。
【００２０】
予約サーバ６が予約端末１から送信された予約情報を受信すると、その予約情報の予約日、利用時間帯に本当に空きがあるかどうかを確認し、確認したら使用費用を算出し、使用費用と共に予約申込情報を予約端末１に送信する。
予約端末１に予約サーバ６からの使用費用と一緒の予約申込情報が入力されたら（ステップＳ２２）、予約端末１は図１２に示すような使用費用と予約申込情報を現す決済情報表示画面を表示する（ステップＳ２３）。
顧客が予約端末１の決済情報表示画面に表示された使用費用と予約申込情報を確認したら、決済情報表示画面中の「確認」の項目を選択すると（ステップＳ２４）、その予約確認情報は予約サーバ６へ送信される（ステップＳ２５）。なお、予約端末１に決済情報表示画面が表示され、所定時間経過しても「確認」の項目が選択されないときは、予約情報入力画面を表示するステップＳ１９に戻る。
予約端末１からの予約確認情報を受信した予約サーバ６は利用日時、利用人数、付帯情報等の予約情報を記載した利用証明書を発行して予約端末１に送信する。その利用証明書を受信した予約端末１は利用証明書の内容をプリントアウトし（ステップＳ２６）、予約端末１による予約動作が終了する。
【００２１】
また、予約サーバによる予約受付動作について図７のフローチャートに基づいて詳細に説明する。
予約サーバ６では予約端末１から入力された顧客ＩＤ、パスワードをインターネット２、ファイアウオール５を経由して受信すると（ステップＳ３１）、データベース記憶部７の基本顧客データ部７２に登録されている顧客ＩＤ、パスワードを検索し（ステップＳ３２）、入力された顧客ＩＤ、パスワードと登録されている顧客ＩＤ、パスワードが一致しているかどうかを判断し（ステップＳ３３）、一致していれば、データベース記憶部７の予約状況データ部７３の予約状況を検索し（ステップＳ３４）、検索した予約状況を予約端末１に送信する（ステップＳ３５）。
次に、予約サーバ６では予約端末１から送信された予約情報を受信すると（ステップＳ３６）、予約情報と予約状況とを照合し（ステップＳ３７）、予約情報の予約日時が所定の予約期間（予約申込時点以降の一定期間）内で、その予約日時に空きがあるかどうかを見る（ステップＳ３８）。
【００２２】
そして、予約情報の予約日時が所定の予約期間内で、その予約日時に空きがあれば、使用費用を算出し（ステップＳ３９）、予約申込情報と使用費用を予約端末１に送信する（ステップＳ４０）。
予約端末１では顧客が予約申込情報と使用費用を見て確認し、確認したら予約端末１が予約確認情報を送信する。
予約サーバ６では予約端末１から送信された予約確認情報を受信すると（ステップＳ４１）、予約確認情報を予約状況に追加して登録し（ステップＳ４２）、利用日時、利用人数、付帯情報等の予約情報を記載した利用証明書を発行して予約端末１に送信し（ステップＳ４３）、予約サーバ６による予約受付動作が終了する。
なお、予約サーバ６で発行した利用証明書を電話網１０を介して顧客のＦＡＸ９に送信するようにしてもよい。
【００２３】
次に、テストコース利用の予約が取れた以降にテストコースを利用した場合の費用の精算について図８のフローチャートに基づいて説明する。
テストコース利用の予約が完了し（ステップＳ５１）、ある利用日の例えば１週間前になると、予約サーバ６では１週間の予約データの確認を行い（ステップＳ５２）、その確認後に１週間の利用一覧表と１週間における該当する各顧客の個別利用明細表を作成し（ステップＳ５３）、利用一覧表を予約サーバ６の内部に保存し、個別利用明細表を該当する顧客の予約端末１に送信する（ステップＳ５４）。
コース管理部では予約サーバ６で１週間の利用一覧表をプリントアウトしてコース利用の管理に用いる。また、顧客の予約端末１では個別利用明細表をプリントアウトしてコース利用の利用者に送付して忘れないように注意を促す。
【００２４】
テストコース利用の予約日の当日がきたら、予約した顧客の利用者である例えば自動車教習所の教習生が教官と共にコースに赴き、利用証明書を提示してテストコースを利用してＥＴＣ教習を受ける（ステップＳ５５）。
このようにしてテストコースの利用が終われば、予約サーバ６では請求書を発行して利用した顧客に対して郵送により送付する（ステップＳ５６）。
なお、予約サーバ６は請求書を予約端末１に送信するようにしてもよいし、また顧客のＦＡＸ９に送信するようにしてもよい。
請求書を受領した顧客は請求書の請求額を銀行振込し（ステップＳ５７）、テストコース予約センタ３の担当者が振込を確認したら、領収書を発行して顧客に送付してテストコース利用の費用の精算が完了する。
【００２５】
なお、顧客がテストコース予約センタ３と締結した利用契約を解除する場合は、予約端末１に顧客の顧客ＩＤ及びパスワードの本人確認情報を入力すると、予約サーバ６が入力された本人確認情報に基づいて本人確認照会を行い、本人確認照会後に予約端末１に契約解除情報を入力すると、予約サーバ６が入力された契約解除情報に基づいてデータベース記憶部７に登録されている基本顧客データのうち、該当する顧客データを抹消して解約手続処理を行うことにより、利用契約が解除され、それ以降は当該顧客はテストコースに対して予約して利用することはできない。
また、予約サーバ６が入力された契約解除情報に基づいてデータベース記憶部７に登録されている基本顧客データのうち、該当する顧客データを無効情報として解約手続処理を行うようにしてもよい。
【００２６】
【発明の効果】
以上のように本発明によれば、顧客が貸出設備の利用予約申込みを行う予約端末に顧客の本人確認情報を入力すると、予約サーバが入力された本人確認情報に基づいて本人確認照会を行い、本人確認照会後に予約状況を予約端末に送信し、予約端末に表示された予約状況の空きを確認して予約情報を入力すると、予約サーバが入力された予約情報と予約状況を照合し、入力した予約状況に空きがあれば使用費用を算出し、予約申込情報と使用費用を予約端末に送信し、予約端末に表示された予約申込情報と使用費用を確認して予約確認情報を入力すると、予約サーバが入力された予約確認情報を予約状況に追加して予約登録を行うようにしたので、貸出設備を利用するために予約をしたい場合に貸出設備の設置場所に行かなくても、予約端末によりインターネットを利用して予約サーバと交信して貸出設備の予約状況を見ながら間違いなく簡単に予約をとることができるという効果がある。
【００２７】
また、予約端末が行う利用予約申込みの対象となる貸出設備はＥＴＣシステムが設置されたテストコースである場合には、テストコースを有効利用する業者である例えば自動車教習所やカーアクセサリディラー等の顧客が予約を取り、予約を取った顧客の利用者にテストコースを利用させることにより、対象となる利用者である教習生全員を平等にＥＴＣシステム利用方法の指導ができ、又「ＥＴＣ用車載器」にを購入された方、又は購入予定者を集めてＥＴＣシステム利用方法について指導することができるため、業者に同業他社との競争において付加価値を増大させ、企業の発展に尽くすビジネスを展開することが可能になる。
【図面の簡単な説明】
【図１】本発明の実施の形態の貸出設備利用予約システムの構成を示すブロック図である。
【図２】データベース記憶部のデータベースの内容を示す説明図である。
【図３】自動車教習所のＥＴＣ教習のテストコース予約を含むプロセスを示すブロック図である。
【図４】カーアクセサリディラーのＥＴＣ用車載器の設置のテストコース予約を含むプロセスを示すブロック図である。
【図５】同貸出設備利用予約システムのテストコースの予約から費用の精算までの手順を示すメインフローチャートである。
【図６】予約端末による予約動作を示すフローチャートである。
【図７】予約サーバによる予約受付動作を示すフローチャートである。
【図８】テストコース利用の費用精算のフローチャートである。
【図９】予約端末の予約初期画面を示す説明図である。
【図１０】予約端末の予約状況画面を示す説明図である。
【図１１】予約端末の予約情報入力画面である。
【図１２】予約端末の決済情報表示画面を示す説明図である。
【図１３】従来の自動車教習所のＥＴＣ教習のプロセスを示すブロック図である。
【図１４】従来のカーアクセサリディラーのＥＴＣ用車載器の設置プロセスを示すブロック図である。
【符号の説明】
１　予約端末、２　インターネット、３　テストコース予約センタ、４　受付端末、６　予約サーバ、７　データベース記憶部。
【図１】
2004030512.tif 000003
【図２】
2004030512.tif 000004
【図３】
2004030512.tif 000005
【図４】
2004030512.tif 000006
【図５】
2004030512.tif 000007
【図６】
2004030512.tif 000008
【図７】
2004030512.tif 000009
【図８】
2004030512.tif 000010
【図９】
2004030512.tif 000011
【図１０】
2004030512.tif 000012
【図１１】
2004030512.tif 000013
【図１２】
2004030512.tif 000014
【図１３】
2004030512.tif 000015
【図１４】
2004030512.tif 000016